(57)【要約】  本発明は、顧客が端末機で有無線インターネット網、移動通信網またはデジタル放送網に連結されたサーバーに接続する段階と；顧客が検索によって音楽またはマルチメディアデータを選択する段階と；顧客が選択した音楽及びマルチメディアデータを出力する機器を指定する段階と；前記出力機器を介して音楽またはマルチメディアデータを出力する段階と；顧客と関連事業者間の課金精算を行う段階とを含んでなることを特徴とする。【選択図】図１
2009506451.tif 000002
【特許請求の範囲】
【請求項１】
顧客の端末機で有無線インターネット網、移動通信網またはデジタル放送網を介してサーバーに接続する段階と；
顧客関連位置情報または加盟店関連位置情報を前記サーバーに提供する段階と；
前記顧客または加盟店主が音楽及びマルチメディアデータを選択する段階と；
顧客または個人が製作したまたは事前に製作された肉声または文字メール、あるいは絵、アバターまたは動画を前記サーバーにアップロードし、あるいは顧客または個人が製作するか事前に製作された肉声または文字メール、あるいは絵、アバターまたは動画を顧客または個人あるいは加盟店主に直接伝送する段階と；
加盟店に設置され、前記選択された音楽及びマルチメディアを再生するかまたはデータを再生する出力機器を決定する段階と；
前記顧客もしくは個人または加盟店主が利用するサービスに対して課金及び決済を行う段階と；
前記音楽及びマルチメディアデータを前記サーバーから受け、前記決定された出力機器を介して再生させる段階と；
前記顧客もしくは個人または加盟店主が用いたサービスに対して課金した決済部分を精算する段階と；を含んでなることを特徴とする、ユビキタス音楽及びマルチメディアサービス方法。
【請求項２】
前記端末機は、
携帯電話、ＰＤＡフォン、スマートフォン、ノートブック、ＰＣ、ＤＴＶ、ＩＰ−ＴＶ、Ｄｉｇｉｔａｌ Ｃａｂｌｅ−ＴＶ、インターネット電話機、ＰＭＰ、ＰＳＰ、ＭＰ３Ｐなどのように、有線インターネットまたは無線インターネットへの接続が可能な器機；
移動通信網またはデジタル放送網接続用器機；
位置基盤サービス（ＬＢＳ）を受けることができる器機；及び
ジャイロスコープ、高度計などの各種センサーが内設または付着されて、同一建物でも階区分が可能な器機；
の中でいずれか一つであることを特徴とする、請求項１に記載のユビキタス音楽及びマルチメディアサービス方法。
【請求項３】
前記出力機器は、
スピーカー、ＴＶ、オーディオ、ＰＣ、ＤＴＶ、ＩＰ−ＴＶ、Ｄｉｇｉｔａｌ Ｃａｂｌｅ−ＴＶなどのように、家庭、会社、建物、商店街内のオーディオ／ビデオ器機；
プール、待合室などの大衆利用施設に設置されたオーディオ／ビデオ器機；
距離、遊園地、待合室などの屋外または野外に設置された大型スピーカーまたはオーディオ／ビデオ器機；
地下鉄、列車、航空機、船舶、自動車などの交通手段に設置されたオーディオ／ビデオ器機；
携帯電話、ＰＤＡ、ＰＭＰ、ＰＭＣ、ＰＳＰ、ＭＰ３Ｐ、ノートブックなどの個人携帯型端末機；及び
顧客自分の端末機；
の中でいずれか一つであることを特徴とする、請求項１に記載のユビキタス音楽及びマルチメディアサービス方法。
【請求項４】
前記加盟店は、
一般の家庭、自動車、店鋪、建物、公園、都市、遊楽施設、テーマパーク、単一室内及び屋外広告施設など、有無線環境で有線または無線インターネットアドレス（ＩＰ）で音声データを受けることができる、すなわちＶｏＩＰサービス、移動通信またはデジタル放送受信が可能なオーディオ、マルチメディア器機または端末機を保有または設置することが可能な場合、
個人資格で本サービスに加入して用いる加入者も前記加盟店の一部になることができることを特徴とする、請求項１に記載のユビキタス音楽及びマルチメディアサービス方法。
【請求項５】
前記データベースは、
音楽またはマルチメディアデータを格納しており、および／またはサービス加盟店の位置情報が入力された地理情報システム（ＧＩＳ）または電子地図（Ｅｌｅｃｔｒｏｎｉｃ Ｍａｐ）をさらに含んで格納するデータベースであることを特徴とする、請求項１に記載のユビキタス音楽及びマルチメディアサービス方法。
【請求項６】
課金、決済または精算は、
前記顧客が端末機に本発明によるサービスを申し込んで受けるにあたり、そのサービス利用料を前記顧客が全額負担することもでき、第３者が前記顧客の代わりにそのサービス利用料の全部または一部を負担する収益事業モデルの方式であることを特徴とする、請求項１に記載のユビキタス音楽及びマルチメディアサービス方法。
【請求項７】
サービス利用料は、
音楽及びマルチメディアデータをダウンロードするかまたはストリーミング形態で受けるために支払わなければならない手数料；または有無線インターネット網、移動通信網または放送網を用いるのに支払わなければならない接続料などの網使用料；または課金精算のために別途に支払わなければならない手数料；を含み、前記顧客が支払わなければならない一切の費用の全部または一部であることを特徴とする、請求項６に記載のユビキタス音楽及びマルチメディアサービス方法。
【請求項８】
第３者は、
最初に端末機を介してサービスを申し込んだ顧客を除いた場合であって、
単独としての加盟店；またはチェーン形態の加盟店の場合、その本社または支社；通信または放送サービス業者；広告、広報または販促業者；個人としての加入者；及び本サービス運営者とサービス目的上必要に応じて別途に契約した事業者または運営代行者；の中で少なくとも一つであることを特徴とする、請求項６に記載のユビキタス音楽及びマルチメディアサービス方法。
【請求項９】
収益事業モデルは、
第３者が前記顧客の利用料の全部または一部を代わって負担する条件であって、
前記顧客が申し込んだ前記音楽またはマルチメディアデータを前記出力器機に再生するためにダウンロードするかまたはストリーミングして受ける過程、またはその前後の時間に、前記顧客の端末機上、または本サービスに基づく多数または単一の出力機器上での、位置基盤サービス（ＬＢＳ）に基づく該当地域広告、所定の停止映像広告、文字広告または動画広告を出力する方法によってその費用の一部または全部を充当することができることを特徴とし；
通信分野のみならず、放送分野までも本発明によるサービスを拡大することができ、
デジタル放送（デジタル地上波及びデジタル衛星放送）を含む一般空中波放送、衛星波ＤＭＢ放送、地上波ＤＭＢ放送、ラジオ放送、ケーブル放送などの多様な放送形態に適用可能であり；
各放送の個別プログラムの中間または前後に用意された広告時間に前記顧客が申し込んだ前記音楽及びマルチメディアデータ、または前記顧客側で製作したあるいは事前に製作した肉声、文字メール、絵、アバターまたは動画が放送されることで、鑑賞できるようにする収益事業のモデルになることをさらに含むことを特徴とし；
加盟店に訪問した顧客が個人的な鑑賞の用途で音楽及びマルチメディアデータを鑑賞しようとする場合、前記加盟店または広告主が前記顧客に無料または割引の形態でダウンロードやストリーミングサービスを提供することができ、前記顧客が個人的な用途にだけ制限的にサービスを利用することができることをさらに含むことを特徴とする、請求項６に記載のユビキタス音楽及びマルチメディアサービス方法。
【請求項１０】
広告は、
前記広告主がデジタルカメラフォン、カメラフォンなどで自作して背景画面の一部または全部を直間接的に登録する段階と、前記広告主が広告データベース上で前記広告データを管理する段階と、前記広告データの登録及び管理と関連する課金及び決済を行う段階と、前記広告に対する効果分析及びフィードバック結果を前記広告主に伝達する段階と、前記顧客の位置情報を位置基盤サービス（ＬＢＳ）によって前記サーバーで自動で認識する段階と、前記顧客が特定の広告地域内にあることを前記サーバーによって判断する段階と、前記広告主が前記特定の広告地域に申し込んで登録した前記広告データを自動的に前記顧客の端末機に露出する段階と；を含み、
広告登録の手続きは、前記個人、加盟店主または前記顧客を含む前記広告主が広告物をデジタルファイルの形態に製作して直接または間接に前記サーバーに登録し；
前記広告の課金方法においては、登録したデータのファイルサイズによって、あるいはダウンロードやストリーミングの際のパケットサイズによって従量制で課金するか回数によって課金するかまたは一定の金額の定額制で課金し；
または、前記広告の形態においては、前記音楽及びマルチメディアデータを前記サーバーから受けて前記指定された出力機器を介して再生させる段階の前または後に、前記広告または広報を、顧客が音楽及びマルチメディアデータを鑑賞用または贈物用に予約するか申し込む場合、前記予約または申し込み及び再生結果を自作または製作された短文メッセージ（ＳＭＳ）またはマルチメディアメッセージ（ＭＭＳ）形態の内部にまたはＵＲＬ Ｃａｌｌｂａｃｋ形態の内部に前記顧客の端末機及び／または前記贈物授与者の端末機上または前記加盟店端末機上にともに含んで広告することができ、前記申し込み結果の内容としては、歌手及び／または題目などの音楽及びマルチメディアデータの情報及び／または関連課金情報及び／または顧客が鑑賞または贈物の用途に作成した短文メッセージ（ＳＭＳ）、マルチメディアメッセージ（ＭＭＳ）またはＵＲＬ Ｃａｌｌｂａｃｋの形態にも含むこともできる方法において、前記広告を見る顧客が無料／割引／有料でサービスを利用することもでき；
広告の課金の時点は、前払い、後払い及び直払いのいずれも可能な広告であることをさらに含むことを特徴とする、請求項９に記載のユビキタス音楽及びマルチメディアサービス方法。
【請求項１１】
加盟店は、本発明によるサービスを提供する前記サーバーに接続することができ；
前記加盟店に現在予約された音楽及びマルチメディアデータのリストを実時間で確認可能であり；
前記加盟店の特有の音楽ジャンルを設定、変更、削除することができる権限があり；
または、直接前記加盟店が音楽及びマルチメディアを申込み、設定、変更、または削除することもでき；
予約リスト上のデータと前記加盟店固有の音楽ジャンルを比較して前記予約リスト上のデータを統制、修正、削除することができる権限も与えられており；
前記加盟店が独立的に、前記顧客が任意に選択した再生用音楽及びマルチメディアデータが一方的に再生されることを防止する手段を備えることができることをさらに含むことを特徴とし；
前記顧客が前記音楽及びマルチメディアデータを選択する段階において、現在前記顧客が利用しているかまたは利用しようとする前記加盟店で顧客が選択可能な音楽ジャンルを顧客に提示する方式において；
前記加盟店で利用可能な音楽ジャンルを提示して、前記顧客の選択するようにするポジティブ（ｐｏｓｉｔｉｖｅ）システムと；
前記加盟店で利用禁止された音楽ジャンルを提示し、その外には前記顧客が誰でも選択するようにするネガティブ（ｎｅｇａｔｉｖｅ）システムをすべて提供する方式とをさらに含むことを特徴とする、請求項１に記載のユビキタス音楽及びマルチメディアサービス方法。
【請求項１２】
顧客関連位置情報または加盟店関連位置情報を前記サーバーに提供する前記方法及び段階は、前記顧客が前記加盟店の有線または無線上の電話番号を前記端末機上で入力するか；
前記顧客が他人端末機の携帯電話番号またはＩＰ住所などの固有識別番号を顧客の前記端末機上で入力することにより、ＬＢＳによって他人の位置が前記加盟店の内または外にあるかを把握するか；
前記顧客が前記加盟店に割り当てられたインターネットアドレス（ＩＰまたはＷＩＮＣ）または放送チャンネルを前記端末機上で入力するか；
前記顧客が前記加盟店に属した出力器機のインターネットアドレス（ＩＰまたはＷＩＮＣ）または放送チャンネルを前記端末機上で入力するか；
前記顧客または前記加盟店が持っている前記端末機に内蔵または外蔵された機能を利用して前記加盟店の関連バーコード、グラフィックコードまたはＲＦタグをスキャンまたはリードする段階と；
収集された情報またはデータを前記サーバーに接続して伝送する段階と；
前記顧客端末機と周辺器機との間に近距離無線通信手段または近接スキャニング認識手段を介して収集されたデータを前記サーバーに伝送するか；
位置基盤サービス（ＬＢＳ）によって把握された前記顧客端末機の位置情報が自動で前記サーバーに伝送される方法のいずれか一つを選択することができることをさらに含むことを特徴とし；
前記顧客関連位置情報または加盟店関連位置情報が前記サーバーに提供される段階は、同一建物の多数階に多数のサービス加盟店がそれぞれ位置することによって、たとえ前記位置基盤サービス上では同一座標と認識されても、各加盟店に相異なるインターネットアドレス（ＩＰ）を割り当てることができ、前記顧客の位置だけでなく、前記顧客が位置する前記加盟店の位置が互いに明確に区分できることを含むことを特徴とし；
前記位置基盤サービスによって顧客が加盟店に訪問した場合、本発明によるサービスのメーンサーバーに連結可能な接続方法が前記顧客の端末機上に自動的に短文（ＳＭＳ）またはマルチメディアメッセージ（ＭＭＳ）の形態に出力でき、前記顧客が単純にボタン一つだけ押しても前記メーンサーバーに易しく初期接続できるようにする簡便な初期接続手段を備えることをさらに含むことを特徴とし；
前記顧客の前記端末機上への短文（ＳＭＳ）またはマルチメディアメッセージ（ＭＭＳ）の出力が移動通信網、有無線インターネット網またはデジタル放送網を含む空中波放送網を介しても提供されるか；
前記加盟店内に設置された近距離無線通信手段によっても提供されるようにすることをさらに含むことを特徴とし；
前記顧客が前記サーバーに連結された状態で、他人の端末機の携帯電話番号またはＩＰ住所などの他人端末機の固有識別番号を入力する段階と；
前記位置基盤サービス（ＬＢＳ）によって前記他人端末機の位置が自動で前記サーバーに伝送される段階と；
前記サーバーが、前記顧客が選択した前記音楽及びマルチメディアデータを他人端末機に最も近接した加盟店に伝送する段階と；
前記音楽及びマルチメディアデータ贈物を前記加盟店の出力器機で再生する段階とを含んであり、加盟店関連位置情報を前記顧客が直接入力しなくても良い場合をさらに含んでなることを特徴とし；
データベースで前記顧客が望む前記加盟店を検索するかまたは加盟店リスト上の前記加盟店を選択する方法として加盟店関連位置情報をサーバーに提供することをさらに含むことを特徴とする、請求項１に記載のユビキタス音楽及びマルチメディアサービス方法。
【請求項１３】
前記顧客関連位置情報または加盟店関連位置情報を前記サーバーに提供するために、
前記顧客または加盟店が別途の暗号を入力する段階をさらに含むことを特徴とする、請求項１２に記載のユビキタス音楽及びマルチメディアサービス方法。
【請求項１４】
前記データベースで前記顧客または加盟店主が音楽及びマルチメディアデータを選択する段階において；
主に加盟店を訪問した顧客、訪問予定顧客、または訪問しないが訪問すべき顧客に音楽及びマルチメディア贈物を与えたい他所に存在している一般の顧客も本発明によるサービスを提供する前記サーバーに接続することができ；
前記顧客が訪問しようとするか訪問した前記加盟店を選択して前記音楽及びマルチメディアを検索、申込み及び予約することができ；
前記加盟店に現在予約された音楽及びマルチメディアデータのリストを実時間で確認可能であり；
前記加盟店に自分が予約、申込みまたは登録した前記音楽またはマルチメディアに限って、設定、変更及び削除することができる権限を提供する方式をさらに含むことを特徴とし；
前記加盟店で前記音楽及びマルチメディアデータを選択する段階において、前記顧客の端末機と前記加盟店内の出力器機が近距離無線通信の手段で互いに連動して再生することができ；
前記近距離無線通信の手段としては、ＵＷＢ、Ｂｌｕｅｔｏｏｔｈ、ＩｒＤＡ、ＺｉｇＢｅｅ、ＲｕＢｅｅ、ＮＦＣ、ＷＩＦＩ、ＳＤＲ、ＲＦタグなどが使用でき、及び／または；
前記顧客が選択した音楽及びマルチメディアデータを前記加盟店が直接サーバーからダウンロードまたはストリーミングの形態に受けた後、前記加盟店出力器機と顧客端末機に前記近距離無線通信の手段で連動して再生させるサービス、または前記顧客が持っている端末機内に格納された音源、マルチメディアデータまたはコンテンツを近距離通信を介して前記加盟店の出力器機に同期化出力または伝送することができる場合も含み、前記顧客の通信料を節減する方法をさらに含むことを特徴とし；
前記顧客の端末機と前記加盟店内のＰＣまたは端末機上には、前記加盟店内の現在顧客予約現況と申込み現況リストが常時表示でき；
前記加盟店内の出力スクリーンまたはモニターに、前記加盟店を訪問した前記顧客だけでなく前記加盟店店主も前記サーバーと接続した状態で全体現況をひと目で把握することができるモニタリングシステムをさらに含むことを特徴とする、請求項１に記載のユビキタス音楽及びマルチメディアサービス方法。
【請求項１５】
前記音楽及びマルチメディアデータを前記サーバーから受けて前記指定の出力機器を介して再生させる段階は、
前記サーバーから伝送された前記音楽及びマルチメディアデータを前記加盟店の出力器機に伝送する中間段階に信号処理用コンバータ装置を経る段階がさらに含まれ；
前記コンバータ装置は、デジタル信号とアナールログ信号を相互に変換処理する機能を持ち；
前記コンバータ装置はＰＣ（パーソナルコンピューター）またはＰＤＡなどで具現するかまたは；
前記コンバータ装置は、その形態においては、内蔵型及び外蔵型に関係ない多機能デジタルセットトップボックス（ｍｕｌｔｉｆｕｎｃｔｉｏｎａｌ ｄｉｇｉｔａｌ ｓｅｔ−ｔｏｐ ｂｏｘ）、中継器、Ｄ／Ａコンバータ、データ変換器、アンプなどの器機と類似の内蔵型または外蔵型の形態に具現でき、及び／または；
前記コンバータ装置は、ハードウェア的装置でないソフトウェア的処理による方法によってもその核心機能を具現することができ、及び／または；
前記コンバータ装置は、顧客が予約した音楽及びマルチメディアデータの再生リストがない場合、自動的に前記加盟店自体の再生リストが運用されるように調節できることをさらに含んでなることを特徴とし；
音楽及びマルチメディアデータを前記サーバーから受けて前記指定された出力機器を介して再生させる段階に先立ち、顧客が音楽及びマルチメディアデータを鑑賞または贈物のために予約するかまたは申し込む場合、前記予約または申込み結果を短文メッセージ（ＳＭＳ）またはマルチメディアメッセージ（ＭＭＳ）の形態、またはＵＲＬ Ｃａｌｌｂａｃｋの形態で前記顧客の端末機及び／または贈物授与者の端末機または前記加盟店端末機上に予め通知することができ、前記申込み結果の内容としては、歌手及び／または題目などの音楽及びマルチメディアデータの情報及び／または関連課金情報及び／または顧客が鑑賞または贈物の用途に作成した短文メッセージ（ＳＭＳ）、マルチメディアメッセージ（ＭＭＳ）またはＵＲＬ Ｃａｌｌｂａｃｋの形態で含むことができ、前記鑑賞または贈物関連当事者間に事前に鑑賞または贈物の情報を通知する段階を加えて構成されることを特徴とし；
背景画面を含む再生の中間または前もしくは後の部分に前記顧客自分の音声で録音した音声メッセージ、ボイスメール、または前記顧客側で製作した文字メール、肉声メールまたは動画物を挿入処理して出力することで、音楽及びマルチメディアデータの再生と関連する特定の意味に付加価置を加えた形態で他人に伝達するようにする段階をさらに含むことを特徴とし、あるいは前記顧客または個人が製作した肉声、文字メールまたは動画を前記サーバーにアップロードする段階を省略してなる段階をさらに含むことを特徴とする、請求項１に記載のユビキタス音楽及びマルチメディアサービス方法。
【発明の詳細な説明】
【技術分野】
【０００１】
本発明はユビキタス時代に備えて案出された新概念のサービスシステム及びその方法に係り、顧客が保有した個人端末機を介して即席で音楽またはマルチメディアデータを顧客周辺の器機または顧客が指定した出力器機で再生することで、鑑賞またはイベントが顧客が主導してなされるようにすることがその特徴である。また、位置基盤のサービスを利用することで、顧客の位置が自動的に認識され、有無線インターネットに連結されたサーバーから顧客の位置に設置されたスピーカーに顧客の選択した音楽が流れることができ、予約サービスも可能であるので、いつでもどこでも所望の音楽を申し込んで鑑賞することができる非常に便利なサービス方法である。
【背景技術】
【０００２】
このような分野の従来技術の一例を挙げれば、顧客がコーヒーショップで話し合っている途中に特定の音楽を鑑賞しようとすると、顧客が申込紙に鑑賞したい歌を記載してコーヒーショップ音楽担当デスクに提出すれば、担当者が多数の顧客から伝達された申込紙を収集し、担当者が所蔵している音楽ＣＤの中で顧客が申し込んだ曲を捜し、これをオーディオ機器を介して再生させる過程を経ることになる。このような方式は、音楽担当者に直接申し込まなければならなく、音楽担当者が曲を検索した後、音楽担当者がこれを再生しなければならない方式なので、音楽担当者を必ず要し、希望待機者が何人であり、いつ自分の曲がスピーカーを介して出るか予測することができなく、時には音楽担当者の主観的判断によって再生手順が変わるか、申し込んだ曲が除かれる場合も発生することになる。また、コーヒーショップという制限的な空間内で行われる限界があるため、野外、遊び施設、ショッピングセンターなどにおいては、このような音楽鑑賞という概念自体が存在することができない実情にある。顧客は自分が主導的に参加する方式を好み、必要な時にイベント性格の音楽サービスを行うことで、特定の曲を隣合う同行者に贈り物として贈呈することもできるサービス方式が切実に要求される時点である。
【発明の開示】
【発明が解決しようとする課題】
【０００３】
本発明を達成するためには、次のような技術的課題が存在する。まず、顧客は自分の有線または無線端末機（携帯電話、ＰＤＡ、ノートブックなど）を介して、サービスを提供するメーンサーバー４００に接続することになる。サーバーには、多数の音楽またはマルチメディアデータを所蔵しているデータベースサーバー５００が連結されているので、顧客は所望の音楽または各種のマルチメディアデータを選択することができ、このデータは顧客が望む時点に、所望の空間で、所望機器で再生または出力できるようになっている。また、顧客は、位置基盤サービス（ＬＢＳ）によって顧客の位置情報がサーバーで自動で認識され、よって顧客が本発明によるサービスの該当加盟店の中でどの加盟店であるかを自動で判別し、顧客の位置から一番近いオーディオ機器または顧客が望む器機などで出力可能である。
【課題を解決するための手段】
【０００４】
前述した本発明は、顧客が端末機を介して申し込んだ音楽及びマルチメディアデータを顧客が望む時間と場所で顧客の個人だけでなく、多数の人々とともに鑑賞するサービスを提供するものである。
【発明の効果】
【０００５】
本発明は、ユビキタス環境内で顧客が所有した個人端末機を介し、顧客が望む時間や場所で音楽またはマルチメディアデータを個人的にあるいはいっしょに鑑賞することができるサービス、または視空間を越えて動画メッセージを含む音楽の贈物などのサービスを提供することにより、便利で簡単でありながらも顧客主導的または顧客参加的な鑑賞が可能であることにその効果がある。
【０００６】
このような概念を拡大すれば、誕生日もしくは特別なイベントが必要な場合、雰囲気のよい音楽贈物を所望の時間、空間または場所で贈呈するとか驚くべき行事を開催するので、社会文化的にその波及効果は一層大きいと言える。
【０００７】
また、顧客は、自ら鑑賞、贈物及びイベントの目的を主導的に達成することができて満足度が高く、加盟店は、より多い顧客が加盟店を訪問して利用することによって売上げが極大化し、広告主は、サービスの中間に広告を露出させることにより、端末機を保有したすべての顧客に広報効果を与えることができ、通信社や放送社は、既存の網またはチャンネルを活用することにより付加の収益をおさめることができる多くの効果があるので、前後方の連関産業発展または経済的効果も莫大であると予想される。
【０００８】
ユビキタス時代が渡来するにしたがい、すべての事物に個別住所が付与される技術が可能であり、本発明は、顧客の誰でも（ａｎｙｏｎｅ）いつでも（ａｎｙｔｉｍｅ）どこでも（ａｎｙｗｈｅｒｅ）どの端末機を介しても（ａｎｙ ｄｅｖｉｃｅ）、楽しく一人でまたは他人とともに参加主導的に音楽やマルチメディアの鑑賞ができるようにする真正なユビキタス技術であると言える。
【発明を実施するための最良の形態】
【０００９】
以下、図面に基づいて本発明をより詳細に説明するが、図面は例示のためものであるばかり、本発明の権利範囲がこの図面に制限されない。
【００１０】
図１は本発明による一実施例を説明するための概略ブロック構成図である。顧客は、いつでも個人の端末機１００を使用していつでもどこでも無線インターネット網、移動通信網またはデジタル放送網などを介して本発明によるサーバー４００に接続可能である。ここで、端末機１００は有線端末機も含むので、有線インターネットを介してサーバーに接続することももちろん可能であるが、説明の便宜上、これからは主に携帯電話などの無線端末機を介しての無線インターネットや移動通信網の環境を中心に説明する。図１において、顧客は、移動中に特定加盟店２００Ａに到逹し、例えば、休息を取りながら本発明によるサービスを利用するためにサービス運営会社のメーンサーバー４００に接続すれば、サーバーは、顧客の端末機の位置を認識することができ、顧客が位置する加盟店の位置も認知することができる。位置を認識する方法ではいろいろあり得る。例えば、位置基盤サービス（ＬＢＳ）またはＧＰＳを利用する方法、あるいは加盟店に割り当てられた固有住所（ＩＰ）または加盟店内に設置された出力器機３００Ａの住所を入力するか、あるいは近距離無線通信手段または非接触スキャニング手段などの技術を介していくらでも位置情報をサーバーに送信することができる。端末機１００と加盟店２００Ａ、または端末機１００と出力器機３００Ａ間の近距離無線通信手段としては、ＵＷＢ、Ｂｌｕｅｔｏｏｔｈ、ＩｒＤＡ、ＺｉｇＢｅｅ、ＮＦＣ、ＷＩＦＩ、ＳＤＲなどがあり、非接触スキャニング手段としては、端末機にリーダーが装着された場合であれば、ＲＦタグ、バーコード、グラフィックコードなどを読み取る方法がある。結論として、自動的でもあるいは手動的でも特定の技術を使用すれば、いつも端末機がある位置、加盟店の位置、そして出力器機の位置はサーバー４００で選択的に把握することができなければならないという前提がなければならない。もっと便利な方法としては、顧客が加盟店に訪問するとき、自動的にメーンサーバーに接続することができる接続方法が顧客の端末機上に短文または長文のメッセージの形で出力できれば、顧客が単純にボタン一つだけ押しても前記メーンサーバーに易しく初期接続される手段があり得る。加盟店の位置と顧客の位置が一致するかを顧客に確認する過程を経れば、顧客は端末機上で曲を検索した後に選択することになる。
【００１１】
顧客は、端末機の画面を介して、サーバーから提供される音楽／マルチメディアデータリストの中で検索するか、所望のデータを直接入力することで、顧客が鑑賞しようとするリストを決定することになる。この際、顧客が音楽及びマルチメディアデータを選択するとき、現在顧客が利用している加盟店で顧客が選択することができる音楽ジャンルを顧客に提示する方式があり得る。これは、加盟店の立場で顧客の選択曲が加盟店の追い求める音楽ジャンルとまったく合わない場合、これを排除するか統制する必要があるからである。加盟店で追い求める音楽ジャンルと関連し、顧客が所望曲を選択するとき、前記加盟店で利用可能な音楽ジャンルを提示して、顧客が選択できるようにするポジティブ（ｐｏｓｉｔｉｖｅ）システムと、前記加盟店で利用禁止された音楽ジャンルを提示して、その外には顧客がすべて選択できるようにするネガティブ（ｎｅｇａｔｉｖｅ）システムとをともに提供しなければならない。このような決定は、顧客が現場で直ちに行うことができ、あるいは予約して行うことも可能である。このときの予約は、該当の加盟店または出力器機だけでなく、出力される時間を特別なイベントとして予約することもできる。一般に、出力時間を予約しない場合には、予約順に出力できるが、特別に時間を指定して予約する場合には、その時間に合わせて出力するようにする一実施例が可能である。このような例は、イベントの目的で使用する場合にその効果が大きいと言え、サービス利用料ももっと高価になることが好ましい。さらに、顧客が申し込んだ音楽及びマルチメディアデータを再生させる段階で、再生中、あるいは前もしくは後の部分に顧客自分の音声で録音した音声メッセージまたはボイスメールを挿入処理して出力することで、他人に音楽及びマルチメディアデータの再生と関連した特定の意味をさらに伝達するようにすれば、そのサービスの効果は一層倍加することができる。
【００１２】
図１において、加盟店とは、同時にサーバーから多数に連結可能であり、その形態も非常に多様である。その形態の例としては、喫茶店、コーヒー専門店、フランチャイズ店、イベントホール、レストラン、公園、ショッピングセンター、海水浴場、遊園地、野球場、列車、航空機など、人々が多数集まる所や個人家庭でも可能であり、甚だしくは特定の建物または会社のような公共建物も可能である。加盟店２００Ａ〜２００Ｃが取り揃えなければならない要件としては、出力器機３００Ａ〜３００Ｃを備えていれば十分である。また、加盟店は、本発明によるサービスを提供するサーバーにいつでも多様な手段を介して接続することができ、前記加盟店に現在予約された音楽及びマルチメディアデータのリストを実時間で確認することも可能であるだけでなく、前記加盟店の特有の音楽ジャンルを設定するか、変更、削除することができる権限が与えられていなければならなく、多数の顧客が予約したリストと前記加盟店固有の音楽ジャンルを比較して予約リスト上のデータを修正または削除することができる権限も与えられている。ただ、加盟店訪問顧客は、現在の予約及び待機中の音楽を確認することができ、自分が予約または申し込んだ曲だけ削除または変更または修正が可能である。
【００１３】
出力器機とは、音楽またはマルチメディアを出力して多数人が鑑賞し得るほどの容量を有するオーディオ及び／またはビデオ機器を言う。その例としては、家庭または公共場所の一般スピーカー、ＴＶ、自動車アンプ、建物内のスピーカー、距離または遊園地などの屋外の電光板、地下鉄や公共施設の案内用モニター、広告用モニターなどがあり、個人が所有した端末機、すなわち、携帯電話、ＰＤＡ、ＰＭＰ、ＰＭＣ、ＰＳＰ、ＭＰ３Ｐ、ノートブックなど、非常に多様であり、その種類をすべて列挙しにくい程度である。また、放送社（ｂｒｏａｄｃａｓｔｉｎｇ ｃｅｎｔｅｒ）の放送用に使用されるモニター機器も含むことができる。絵において、出力器機がアナログ信号用の場合は、音楽及びマルチメディアデータを再生させるために、必要な場合、信号を変換するためのコンバータ６００装置を加えることができる。ここで、コンバータ６００装置はＰＣ形態の場合ももちろん可能である。
【００１４】
図２は本発明によるサービスの概念を分かりやすく示す流れ図である。
【００１５】
図３は加盟店の加入または脱退と関連する流れ図を示す。このサービスにおいて、初期には加盟店契約を手記ですることが一般的であると考えられるが、サービスが活性化した後には、加盟店加入及び脱退の手続きがサーバー接続を介してできるようにすることで、加盟店が便利にサービス加盟店に加入するかまたは脱退することができるようにすることを追い求める。その手順においては、最初にサーバーに初期接続すれば、加盟店メニューの中で加入または脱退メニューを選択して加入または脱退を選択する。加盟店加入をする場合には、加入と関連する情報を一定の形式にしてサーバーに伝送し、サーバーでこれに対する確認手続きを経って加入を承認、完了すると同時に、これに対する通知を加盟店に行うことで加入手続きが完了する。加盟店脱退に対する手順もこれと類似して、脱退メニューを選択すれば、加盟脱退と関連する情報を一定の形式にしてサーバーに伝送し、サーバーで最終決済関連精算過程を経った後、加盟脱退を承認、完了すると同時に、これに対する通知を加盟店に行うことで脱退手続きを終了することになる。
【００１６】
図４は加盟店または広告主が直接広告関連デジタルファイルを登録するかまたは修正することができ、あるいは削除することができる手続きを示す。加盟店または広告主は、自分の広告を直接管理するために、本発明によるサーバーに初期接続した後、自分のホームページ、例えば、“Ｍｙ Ｍｅｎｕ”の形態のページに接続することができる。広告物を新規に、あるいは修正して登録しようとする場合には、広告登録を選択した後、広告登録と関連する情報、例えば端末機に格納された広告データの名前などを入力すれば、この情報がサーバーに伝送され、関連デジタルファイルもアップロード（ｕｐｌｏａｄ）され、これに対するサーバーでの処理過程を経って最終結果を加盟店または広告主に通知した後、登録過程を終了することになる。同様に、広告データを削除しようとする場合にも、削除メニューを選択した後、削除と関連する情報を入力すれば、この情報がサーバーに伝送された後、サーバーでは決済関連の精算処理を経って、最終削除が完了することを通知することで削除手続きが終了する。
【００１７】
図５は広告または顧客に対する分析フィードバックのための手続きを示す図である。広告主または加盟店が自分の広告に対する効果または顧客に対する実時間分析によるフィードバック結果を望む場合、サーバーに初期接続し、自分のメニューに入って分析フィードバックを選択すれば良い。広告分析または顧客分析のいずれにも、関連分析情報を入力してサーバーに伝送すれば、サーバーがこれを処理し、最終フィードバックの結果が広告主または加盟店端末機に通知されることで手続きが終了する。
【００１８】
これまで説明した前記ユビキタス音楽及びマルチメディア鑑賞サービスシステムは、技術的に応用可能なずっと広い範囲までその権利が認められることを類推することができる。
【図面の簡単な説明】
【００１９】
【図１】本発明による一実施例を説明するためのブロック構成図である。
【図２】図１の一実施例を示す流れ図である。
【図３】加盟店の加入または脱退と関連する流れ図を示す。
【図４】加盟店または広告主が直接広告関連デジタルファイルを登録するかまたは修正することができ、あるいは削除することができる手続きを示す。
【図５】広告または顧客に対する分析フィードバックのための手続きを示す図である。
【符号の説明】
【００２０】
１００    顧客端末機
２００Ａ、２００Ｂ、２００Ｃ    加盟店（Ａ〜Ｃ）
３００Ａ、３００Ｂ、３００Ｃ    出力器機（Ａ〜Ｃ）
４００    サーバー
５００Ａ    音楽／マルチメディアデータベース（ＤＢ）
５００Ｂ    会員／加盟店／位置／ログ情報データベース
５００Ｃ    広告／広報／顧客分析／課金決済データベース
６００    出力器機駆動のための信号変換用コンバータ
【図１】
2009506451.tif 000003
【図２】
2009506451.tif 000004
【図３】
2009506451.tif 000005
【図４】
2009506451.tif 000006
【図５】
2009506451.tif 000007
【国際調査報告】
2009506451.tif 000008
2009506451.tif 000009